(57)【要約】【課題】 コルセットのように身体に巻き付けて使用することで、大腸の横行結腸の部位を適当な圧力で締付けると共に、大腸の血行を促進することで排便を促進することのできる排便促進用ベルトを提供する。【解決手段】 腹部に巻き付けて大腸の横行結腸の部位を締付けることができるベルト本体２を、遠赤外線を放射する織物６を用いて所定幅と所定の長さに構成し、遠赤外線を放射する織物６は、セラミック粉末が混練された繊維を含む綿７をマット状に形成し、マット状の綿を両面から保持シート８で挟んでなる保温綿材１０をベルト本体２の大腸に当てがう部位に配置し、ベルト本体２の端部５には、面圧着ファスナー３ａ、３ｂを取付けると共に、腹部の締付け度合を目視で確認できる目盛り４を付したことを特徴とする。【選択図】 図１
2005211113.tif 000002
【特許請求の範囲】
【請求項１】
腹部に巻き付けて使用し、排便時´いきむ´際に腹部の膨張を制限して、大腸の横行結腸の部位を押えることができるベルト本体を所定幅と所定の長さに構成し、前記ベルト本体の端部には、面圧着ファスナーを取付けると共に、前記大腸における横行結腸の締付け強度を目視で確認できる目盛りを付したことを特徴とする排便促進用ベルト。
【請求項２】
腹部に巻き付けて使用し、排便時´いきむ´際に腹部の膨張を制限して、大腸の横行結腸の部位を押えることができるベルト本体を、該ベルト本体の全長または一部に遠赤外線を放射する織物を用いて所定幅と所定の長さに構成し、前記ベルト本体の端部には、面圧着ファスナーを取付けると共に、前記大腸における横行結腸の締付け強度を目視で確認できる目盛りを付したことを特徴とする排便促進用ベルト。
【請求項３】
前記遠赤外線を放射する織物は、遠赤外線を放射するセラミック粉末が混練された繊維を含む綿をマット状に形成し、前記マット状の綿を両面から保持シートで挟んでなる保温綿材で構成し、該保温綿材をベルト本体の腹部に当てがう部位に配置したことを特徴とする請求項２記載の排便促進用ベルト。
【請求項４】
前記遠赤外線を放射する織物は、遠赤外線放射セラミックを繊維に練り込んだ綿の両面を被覆布で被覆してベルト本体の略全長にわたり形成したことを特徴とする請求項２記載の排便促進用ベルト。
【発明の詳細な説明】
【技術分野】
【０００１】
本発明は、身体の腹部、特に、大腸における横行結腸の部位に巻回して排便を促進できる排便促進用ベルトに関するものである。
【背景技術】
【０００２】
便秘は多くの人が経験する排便困難な病態であるが、大きく分けると器質性便秘と機能性便秘の２種類がある。器質性便秘は腸が狭いなどが原因であるが、多くの人が悩まされているのは機能性便秘である。機能性便秘は、直腸型、弛緩型、けいれん性の３種類に分類される。
【０００３】
通常、消化物が直接腸内に入ることにより、腸が押し広げられて排便反射を引き起す。それが脳に伝えられると便意を催し、腸に対して収縮が始まり排便に至る。しかし、現代生活の忙しい便意を催してもすぐにトイレで排便するということができない場合が多い。
【０００４】
直腸の壁が押されているのを感じるのは、便に含まれている連鎖脂肪酸であるとされているが、この刺激は短時間しか持続しないため、やがて便意を感じなくなってしまう。これが直腸型の便秘である。
【０００５】
弛緩型の便秘は、老化などによって腸の筋力が低下し、排便できなくなるくらいまで直腸に便をため込んでしまうこと等によって生ずる。また、けいれん性（興奮性結腸ともいう）では、ストレスなどを引き金として体内に分泌されたエンドルフィンなどの体内麻薬が、腸を異常に収縮させ特にＳ字結腸において、腸がくびれることで便が小さく細切れになってしまう。
【０００６】
これらの機能性便秘の対策としては、食事療法や運動療法といった生活習慣の改善に関するものがよく知られている。これは生活習慣の改善によって、生体本来の排便リズムを取り戻し消化器系の活性化を促すことを狙っている。また、食事療法については、食物繊維などを含んだ食品を多く摂取することにより便の粘性を適度に保つことを図っている。
【０００７】
また、便秘薬の利用や外部からの刺激によって便秘の解消を図るものもある。便秘薬には、腸壁からの水分の分泌を促すものや、食物繊維などに似た成分で便を軟らかくするものなどがある。外部からの刺激としては、温水洗浄便座の流水によるものなどが知られている。肛門に水流を当てることによって、肛門反射を促し、便意を促進させるというものである。従来の排便を促進する装置として、特開平９−１０３４５９号に開示の技術が知られている。この従来技術は、トイレ内において利用者の排便促進を行う為のマッサージを補助する排便促進装置である。
【特許文献１】特開平９−１０３４５９号公報
【発明の開示】
【発明が解決しようとする課題】
【０００８】
特開平９−１０３４５９号に開示の排便促進装置は、利用者がトイレで排便するときに大腸の部位をマッサージすることで排便を促進するものであるから、排便促進装置を片手で把持して腹部に押さえつけるため使用上不便であるという欠点がある。
【０００９】
本発明は、コルセットのように身体の腹部に巻き付けて使用することで、排便時´いきむ´際に腹部の膨張を制限して、大腸の横行結腸の部位を押えることができ、自然に排便作用を促すと共に、大腸の血行を促進することで排便作用を一層促進することのできる排便促進用ベルトを提供することを目的とする。
【課題を解決するための手段】
【００１０】
前記の目的を達成するため、本発明は次のように構成する。
【００１１】
第１の発明は、腹部に巻き付けて使用し、排便時´いきむ´際に腹部の膨張を制限して、大腸の横行結腸の部位を押えることができるベルト本体を所定幅と所定の長さに構成し、前記ベルト本体の端部には、面圧着ファスナーを取付けると共に、前記大腸における横行結腸の締付け強度を目視で確認できる目盛りを付したことを特徴とする。
【００１２】
第２の発明は、腹部に巻き付けて使用し、排便時´いきむ´際に腹部の膨張を制限して、大腸の横行結腸の部位を押えることができるベルト本体を、該ベルト本体の全長または一部に遠赤外線を放射する織物を用いて所定幅と所定の長さに構成し、前記ベルト本体の端部には、面圧着ファスナーを取付けると共に、前記大腸における横行結腸の締付け強度を目視で確認できる目盛りを付したことを特徴とする。
【００１３】
第３の発明は、第２の発明において、前記遠赤外線を放射する織物は、遠赤外線を放射するセラミック粉末が混練された繊維を含む綿をマット状に形成し、前記マット状の綿を両面から保持シートで挟んでなる保温綿材で構成し、該保温綿材をベルト本体の腹部に当てがう部位に配置したことを特徴とする。
【００１４】
第４の発明は、第２の発明において、前記遠赤外線を放射する織物は、遠赤外線放射セラミックを繊維に練り込んだ綿の両面を被覆布で被覆してベルト本体の略全長にわたり形成したことを特徴とする。
【発明の効果】
【００１５】
本発明に係る排便促進ベルトを腹部に巻き付けて使用することにより、排便に際して´いきむ´際に腹部が膨張するのを制限し、それにより大腸の横行結腸の部位を腹部の上から押付けるように力を入れることができ、円滑な排便作用を行うことができ、特に、横行結腸の部位に巻き付ける強さの加減をベルト本体に付した目盛りを基準にして目視確認でき、一層確実な排便作用を促すことができる。
【００１６】
また、ベルト本体を遠赤外線を放射する織物で構成することにより、遠赤外線が大腸の部位を効果的に暖めることができ、大腸の血行が一層促進されて大腸周辺の筋肉が活性化され排便行為が一層か円滑になる。
【発明を実施するための最良の形態】
【００１７】
以下、本発明の実施形態を図１〜図３を参照して説明する。
【００１８】
図１は第１実施形態を示し、排便促進用ベルト１におけるベルト本体２は、適宜の生地からなる弾性を有する織物、または弾性を有しない織物を用いて形成される。このベルト本体２は、所定幅と所定の長さに形成され、かつ、ベルト本体２の両端部には、マジックテープ（商品名）などの面圧着ファスナー３ａ、３ｂを取付けると共に、該ベルト本体２を腹部の大腸の横行結腸の部位に巻き付けたとき、該胴体の巻き付け加減を目視で確認できる目盛り４をベルト本体２の端部５を付してある。
【００１９】
さらに、第１実施形態において、ベルト本体２には、大腸の横行結腸のある部位に位置するように遠赤外線を放射する織物６を用いて形成する。遠赤外線を放射する織物６は、図１（ｃ）に示すように、セラミック粉末が混練された繊維を含む綿７をマット状に形成し、前記マット状の綿７を両面から保持シート８で挟んでなる保温綿材１０で構成し、該保温綿材１０をベルト本体２における大腸の部位において表皮織物１１の内部に配し、該保温綿材１０がずれ動かないように配置する。
【００２０】
前記ベルト本体２を腹部に巻いたとき、保温綿材１０における繊維に混練されたセラミック粉末から遠赤外線が放射され、身体の内部、特に大腸の横行結腸とその周辺に直接的に作用し、保温綿材１０の保温効果とあいまってきわめて腹部の効果的な保温効果を得ることができる。
【００２１】
前記マット状の綿７を構成する繊維材料としては、特に限定するものではなく、各種の合成繊維、再生繊維、半再生繊維が用いられる。例えば、レーヨン、ポリエステル、ナイロン、アクリル、ビニロン、ポリプロピレン、ポリエチレン、ポリ塩化ビニル、ポリウレタン、フッ素繊維、ガラス繊維、炭素繊維等があげられる。これらのなかでも、入手しやすいポリエステル、ナイロン、アクリルなどが好適に用いられる。これらの繊維材料は、単独でもしくは併せて用いられる。
【００２２】
繊維材料に混練されるセラミック粉末としては、遠赤外線の放射効果を有するものであれば、特に限定するものではなく、各種のものを用いることができる。例えば、アルミナ（Ａｌ２Ｏ３）系、マグネシア（ＭｇＯ）系、ジルコニア（ＺｒＯ２）系、チタニア（ＴｉＯ２）系の他、二酸化ケイ素（ＳｉＯ２）酸化クロム（Ｃｒ２Ｏ３）、フェライト（ＦｅＯ２・Ｆｅ３Ｏ４）、スピネル（ＭｇＯ・Ａｌ２Ｏ３）、セリア（ＣｅＯ２）、ベリリア（ＢｅＯ）等のセラミックス材料があげられる。天然鉱物としては、蛇紋石（マグネシウムの含水ケイ酸塩鉱物）が優れた遠赤外線放射性を示す。これらのセラミックス材料は、粉末で用いられ、単独もしくは併せて用いられる。
【００２３】
前記セラミック材料とともに、アルミニウム、プラチナの粉末等の遠赤外線反射性物質や他の機能性物質微紛状で添加してもよい。金、白金、銀、銅の粉も、遠赤外線機能の他に、健康増進作用や防黴の効果を有するので好ましく用いることができる。このように、遠赤外線反射性物質を混入させることにより、該反射性物質の反射効果により遠赤外線が打ち返され、赤外線の利用効率が一層高められる。
【００２４】
前記セラミック粉末や遠赤外線反射性物質は、繊維材料の原料中に混入されて紡糸することにより、繊維中に混練することができる。本発明で用いるマット状の綿７としては、前記セラミック粉末が混練された繊維が主体として用いられる。なお、セラミック粉末が混練された繊維だけでマット状の綿７を構成してもよいし、セラミック粉末が混練されていない繊維をいくらか混入することもできる。
【００２５】
第１実施形態に係る排便促進ベルト１を使用するときは、図３に示すように、便秘または便秘傾向の利用者１２がベルト本体１を大腸の部位に巻きつけて、両端部の面圧着ファスナー３ａ、３ｂによりベルト端部５を固着する。このときベルト本体２の両端の目盛り４によって利用者１２は腹部の締付けの強さを感に頼らないで、目視により正確に確認でき、排便作用が一層促進される。
【００２６】
このように本発明によると、便促進ベルトを腹部に巻き付けて使用することにより、排便時´いきむ´際に腹部が膨張するのを制限し、それにより大腸の横行結腸の部位を腹部の上から押付けるように力を入れることができ、円滑な排便作用を行うことができ、特に、横行結腸の部位を押さえる強さをベルト本体に付した目盛りを基準にして目視確認できる。
【００２７】
さらに、排便促進ベルト１のベルト本体２に設けた保温綿材１０から放射する遠赤外線熱１３が、図３（ｃ）の模式図に示すように大腸１４を効果的に暖めることができる。図３（ｃ）において、大腸１４は、横行結腸１８と上行結腸１９と下行結腸２０が腹部に位置しており、大腸１４の上側に胃腸がある。ベルト本体２は横行結腸１８の部位を適度に締付けることで排便を促進すると共に、遠赤外線熱１３が横行結腸１８と上行結腸１９と下行結腸２０などの大腸１４全体とその周辺を暖めることで血行が一層促進されて、大腸周辺の筋肉が活性化され排便行為が一層か円滑になる。
【００２８】
図２は、第２実施形態に係る排便促進ベルト１５を示し、第１実施形態に係る排便促進ベルト１と同一要素には同一符号を付して説明する。第２実施形態では、第１実施形態におけるベルト本体２の一部に部分的に遠赤外線を放射する保温綿材１０に代えて、ベルト本体２の略全長にわたり遠赤外線を放射する織物６で構成している。この場合は、図２（ｂ）、（ｃ）に示すように、ベルト本体２の略全長を遠赤外線放射セラミックを繊維に練り込んだ綿１６の両面を被覆布１７で被覆して形成している。
【００２９】
第２実施形態に係る排便促進ベルト１５を使用するときは、ベルト本体２の略全長にわたり遠赤外線を放射する織物から放射する遠赤外線熱が大腸を効果的に暖めることができ、大腸の血行が一層促進されて腸部周辺の筋肉が活性化され排便行為が一層円滑になる。
【図面の簡単な説明】
【００３０】
【図１】（ａ）は、本発明の第１実施形態に係る排便促進ベルトの斜視図、（ｂ）は、図１（ａ）のＡ−Ａ断面図、（ｃ）は、図１（ａ）の遠赤外線を放射する保温綿材を構成するセラミック粉末が混練された繊維を含む綿とこれを挟む保持シートの斜視図である。
【図２】（ａ）は、本発明の第２実施形態に係る排便促進ベルトの斜視図、（ｂ）は、図２（ａ）のＢ−Ｂ断面図、（ｃ）は、図１（ｂ）のＢ部の拡大図で、遠赤外線を放射する織物の詳細を示す図である。
【図３】（ａ）は、本発明に係る排便促進ベルトの使用状態の前方斜視図、（ｂ）は、排便促進ベルトの使用状態の後方斜視図、（ｃ）は、人体の大腸に作用する遠赤外線熱を示す模式図である。
【符号の説明】
【００３１】
１ 排便促進用ベルト    
２ ベルト本体    
３ａ 面圧着ファスナー
３ｂ 面圧着ファスナー
４ 目盛り 
５ ベルト端部
６ 遠赤外線を放射する織物
７ ベルト状の綿
８ 保持シート
１０ 保温綿材
１１ 表皮織物
１２ 利用者
１３ 遠赤外線熱
１４ 大腸
１５ 排便促進用ベルト
１６ 遠赤外線放射セラミックを繊維に織り込んだ綿
１７ 被覆布 
１８ 横行結腸
１９ 上行結腸
２０ 下行結腸
【図１】
2005211113.tif 000003
【図２】
2005211113.tif 000004
【図３】
2005211113.tif 000005